(57)【要約】      （修正有）【課題】  第３者機関の認証サーバより時刻情報を取得しタイムスタンプを文書に付加し、電子データの真正性を立証し、悪意のある第３者による改竄を防止するタイムスタンプ付きデジタル複写機のシステムにおいて、第３者機関認証サーバによる認証にかかる費用を削減する。【解決手段】  タイムスタンプを自動的に付加する場合の特定の条件を設定し、その条件に合致した場合のみ第３者機関の認証サーバよりタイムスタンプを自動的に取得する。【選択図】  図１
2006166332.tif 000002
【特許請求の範囲】
【請求項１】
各種の書類をプリントして発行する場合に、第3者機関の認証サーバより時刻情報を取得して印字するタイムスタンプ付き印刷システムであって、タイムスタンプを付加する場合の特定の条件を予め設定可能とし、上記印刷書類の印字出力に際して、その条件に合致した場合のみ自動的に第3社機関の認証サーバよりタイムスタンプを取得し上記印刷書類にタイムスタンプを施すことを特徴としたタイムスタンプ付き印刷システム。
【請求項２】
前記タイムスタンプを付加する場合の特定の条件はデータ送受信時の相手先の指定を含むことを特徴とする請求項１記載のタイムスタンプ付き印刷システム。
【請求項３】
前記タイムスタンプを付加する場合の特定の条件は、パスワード付き文書を送受信した場合を含むことを特徴とする請求項１記載のタイムスタンプ付き印刷システム。
【請求項４】
前記タイムスタンプを付加する場合の特定の条件として、送受信文書をOCR処理により画像データに含まれる文字情報を解読して特定の文字と合致した場合を含み、前記特定の文字は予めユーザにより設定可能とする請求項１記載のタイムスタンプ付き印刷システム。
【発明の詳細な説明】
【技術分野】
【０００１】
本発明は、デジタル複写機に関し、特にデジタル複写機が扱う電子データの真正性高めるタイムスタンプ付き印刷システムに関する。
【背景技術】
【０００２】
近年、デジタル複写機の普及拡大に伴い、単に原稿の複写という用途から汎用の画像処理装置としての新たな用途の展開が始まっており、デジタル複写機への入力情報も原稿台上の紙原稿から他のＯＡ機器から伝送される画像データまで拡大してきており、その情報の種類や内容も当然多岐にわたっている。
【０００３】
電子データとしての扱いが進展するにつれて、紙媒体として扱われてきた重要文書である企業間取引の契約取引書類などが電子化されデジタル複写機へ電子データとして格納され処理されるようになってきている。
【０００４】
しかしながら一方で、使用者の都合で発行する全ての書類が電子コンテンツに置き換えが可能とは限らない場合もあり、さらにメディアを選ばない印刷物として発行した方が利便性という点で優れている場合もまだまだ多い。
【０００５】
このような状況下では、電子データの真正性を証明可能としながら上述の電子データのコンテンツを利便性の高い紙媒体へ印字することを可能とするデジタル複写機がますます必要とされている。
【０００６】
電子データの真正性を証明する手段として、第3者機関の認証サーバより時刻情報を取得しタイムスタンプを文書に付加するシステムが近年考案されてきている（例えば、特許文献１）。
【０００７】
このシステムを利用した場合、電子データ受信時に第３者機関の認証サーバにより自動的にタイムスタンプを付加することで人の手が介在せず、悪意のある第三者による改ざんの可能性が低くなり、データの信頼性をさらに高めることができる。
【特許文献１】特開2003-345789号公報
【発明の開示】
【発明が解決しようとする課題】
【０００８】
しかしながら、上述のような要求を従来の印刷システムで行った場合、第3者機関認証サーバによる認証にはその都度料金が発生するために、全ての文書に対して自動的にタイムスタンプを付加することは、コスト面でユーザの大きな負担となり、さらに、重要書類以外の文書に対しても自動的にタイムスタンプが付加されてしまいユーザにとっては不必要なタイムスタンプに対しても料金を負担させることになってしまう。
【課題を解決するための手段】
【０００９】
上記課題を解決するために、請求項１の発明は、各種の書類をプリントして発行する場合に、第3者機関の認証サーバより時刻情報を取得して印字するタイムスタンプ付き印刷システムであって、タイムスタンプを付加する場合の特定の条件を予め設定可能とし、上記印刷書類の印字出力に際して、その条件に合致した場合のみ自動的に第3社機関の認証サーバよりタイムスタンプを取得し上記印刷書類にタイムスタンプを施すことを特徴とする。
【００１０】
上記課題を解決するために、請求項２の発明は、前記タイムスタンプを付加する場合の特定の条件はデータ送受信時の相手先の指定を含むことを特徴とする請求項１記載のタイムスタンプ付き印刷システム。
【００１１】
上記課題を解決するために、請求項３の発明は、前記タイムスタンプを付加する場合の特定の条件は、パスワード付き文書を送受信した場合を含むことを特徴とする請求項１記載のタイムスタンプ付き印刷システム。
【００１２】
上記課題を解決するために、請求項４の発明は、前記タイムスタンプを付加する場合の特定の条件として、送受信文書をOCR処理により画像データに含まれる文字情報を解読して特定の文字と合致した場合を含み、前記特定の文字は予めユーザにより設定可能とする請求項１記載のタイムスタンプ付き印刷システム。
【発明の効果】
【００１３】
本発明に寄れば、必要とする文書に対してのみタイムスタンプを付加することができるので、対コスト面で効果的かつ、人の手を介さないことによるセキュリティ面の強化と容易さが両立したタイムスタンプ付き印刷システムを運用することが可能となる。
【００１４】
さらに、上記タイムスタンプを自動的に付加する条件をユーザにより設定可能とすることで、それぞれのユーザの運用に合った条件を選ぶことができ、より柔軟性の高いタイムスタンプ付き印刷システムを提供することができる。
【発明を実施するための最良の形態】
【００１５】
以下、本発明の実施の形態について図面を参照して説明する。
【００１６】
[装置概要説明]
図1は本発明の代表的な実施形態であるタイムスタンプ付き印刷システムの基本的なシステム構成図である。
【００１７】
図中、１１００は契約書や物品の購入依頼等の電子データを送信する顧客企業であり、それぞれの顧客企業がデータ送信に使用する機器の一例として、クライアントコンピュータ１１０１，１１０２、デジタル複写機１１０３、ファックス装置１１０４を表している。１２００は第三機関の認証サーバ１３００により発行された時刻情報を付加して印刷を行う印刷物発行機関（発行企業）である。顧客企業１１００から送られてきた電子データをデジタル複写機１２０１により受信し、タイムスタンプを自動的に付加するか判断するため、タイムスタンプ取得テーブル１３０３を用いて判定を行う。本図中ではデータ送信元のIPアドレスにより判定を行う例を示しており、タイムスタンプ取得テーブル１３０３上にある特定ＩＰアドレス一覧に合致した場合にタイムスタンプを付加することを表している。
【００１８】
１３００は認証機関を含む第三機関であり、タイムスタンプ発行システム１３０１によりタイムスタンプを発行する。印刷物発行企業１２００と顧客企業１１００と第三機関１３００との間は、通信回線網１４００を介して通信する仕組に成っている。
【００１９】
[複写機概要説明]
図２に、本発明の実施例としてのデジタル複写機１２０１の外観図を示す。
【００２０】
200は、原稿自動送り装置(以下DF)であり、複数枚の原稿を自動的に一枚ずつ給紙し、各原稿の表面および裏面を原稿台に順次セットすることができる。その具体的構成は既に公知であるため、詳細な説明は省略する。図２において、DF200上には、読み取られるべき複数枚の原稿が置かれる。DF200にセットされた原稿は、DF200によって1枚ずつ給紙され原稿台201上に置かれる。202は例えばハロゲンランプから構成される原稿照明ランプで、原稿台ガラス201に載置された原稿を露光する。203、204、205は走査ミラーであり、図示しない光学走査ユニットに収容され、往復動しながら、原稿からの反射光をＣＣＤユニット206に導く。ＣＣＤユニット206はＣＣＤに原稿からの反射光を結像させる結像レンズ207、ＣＣＤから構成される撮像素子208、撮像素子208を駆動するＣＣＤドライバ209等から構成されている。撮像素子208からの画像信号出力は、例えば８ビットのデジタルデータに変換された後、コントローラ部１１１に入力される。また、210は感光ドラムであり、212の前露光ランプによって画像形成に備えて除電される。213は帯電器であり、感光ドラム210を一様に帯電させる。214は露光手段であり、例えば半導体レーザー等で構成され、画像処理や装置全体の制御を行うコントローラ部3000で処理された画像データに基づいて感光ドラム210を露光し、静電潜像を形成する。215は現像器で黒色の現像剤(トナー)が収容されている。219は転写前帯電器であり、感光ドラム210上に現像されたトナー像を用紙に転写する前に高圧をかける。220、222、224は給紙ユニットであり、各給紙ローラ221、223、225の駆動により、転写用紙が装置内へ給送され、レジストローラ226の配設位置で一旦停止し、感光ドラム210に形成された画像との書き出しタイミングがとられ再給送される。227は転写帯電器であり、感光ドラム210に現像されたトナー像を給送される転写用紙に転写する。228は分離帯電器であり、転写動作の終了した転写用紙を感光ドラム210より分離する。転写されずに感光ドラム210上に残ったトナーはクリーナー211によって回収される。229は搬送ベルトで、転写プロセスの終了した転写用紙を定着器230に搬送し、例えば熱により定着される。231はフラッパであり、定着プロセスの終了した転写用紙の搬送パスを切換え、コピー終了して機外に排紙するか、または中間トレイ237の配置方向のいずれかに制御する。233〜236は給送ローラであり、一度定着プロセスの終了した転写用紙を中間トレイ237に反転(多重)または非反転(両面)して給送する。238は再給送ローラであり、中間トレイ237に載置された転写用紙を再度、レジストローラ236の配設位置まで搬送する。232はステイプルソータであり、コピーされた用紙の丁合およびステイプル綴じを行う。
【００２１】
3000のコントローラ部にはマイクロコンピュータ、画像処理部等を備えており、操作パネルからの指示に従って、前述の画像形成動作を行う。
【００２２】
[コントローラ部詳細説明]
図３は、デジタル複写機1201に実装されるシステムブロック図である。
【００２３】
Controller Unit 3000は画像入力デバイスであるScanner3070や画像出力デバイスであるPrinter3095と接続し、一方ではLAN3011や公衆回線(WAN)3051と接続することで、画像情報やデバイス情報の入出力を行う為のコントローラである。CPU3001はシステム全体を制御するコントローラである。RAM3002はCPU3002が動作するためのシステムワークメモリであり、画像データを一時記憶するための画像メモリでもある。ROM3003はブートROMであり、システムのブートプログラムが格納されている。HDD3004はハードディスクドライブで、システムソフトウェア、画像データを格納する。操作部I/F3006はタッチパネルを有した操作部(UI)3100とのインターフェース部で、操作部3100に表示する画像データを操作部3100に対して出力する。また、操作部3100から本システム使用者が入力した情報を、CPU3001に伝える役割をする。Network I/F3010はLAN3011に接続し、情報の入出力を行う。Modem3050は公衆回線3051に接続し、情報の入出力を行う。以上のデバイスがシステムバス3007上に配置される。Image Bus I/F3005はシステムバス3007と画像データを高速で転送する画像バス3008を接続し、データ構造を変換するバスブリッジである。画像バス3008は、PCIバスまたはIEEE1394で構成される。画像バス3008上には以下のデバイスが配置される。ラスターイメージプロセッサ(RIP)3060はPDLコードをビットマップイメージに展開する。デバイスI/F部3030は、画像入出力デバイスであるスキャナ3070やプリンタ3095とコントローラ3000を接続し、画像データの同期系/非同期系の変換を行う。スキャナ画像処理部3080は、入力画像データに対し補正、加工、編集を行う。プリンタ画像処理部は、プリント出力画像データに対して、プリンタの補正、解像度変換等を行う。画像回転部3030は画像データの回転を行う。画像圧縮部3040は、多値画像データはJPEG、2値画像データはJBIG、MMR、MHの圧縮伸張処理を行う。
【００２４】
OCR処理部3111は画像データに含まれる文字情報を解読して文字コード化する処理を行う。タイムスタンプコード化処理部3113はLAN3011を経由した通信回路網1400を介して、第三機関の認証サーバ１３００により発行された時刻情報を元にタイムスタンプをコード化する処理を行う。タイムスタンプコード読み取り処理部3112はコード化されたタイムスタンプの情報を解読することで、第三機関の認証サーバ１３００でのタイムスタンプ情報の真正性の検証を可能とする。
【００２５】
図４は、本実施例のタイムスタンプ付き印刷システムの処理フローをあらわしたフローチャートである。
【００２６】
ステップS４００１において、顧客企業１１００のクライアントコンピュータ１１０１、１１０２またはデジタル複写機１１０３またはファックス装置１１０４から印刷物発行企業１２００へ契約書などの電子データが送信される。
【００２７】
ステップS４００２においてステップS４００１で送信された電子データを印刷物発行企業１２００が受信する。
【００２８】
次にステップS４００３において、自動的にタイムスタンプを付加するための条件と比較し、ステップS４００２で受信した電子データが前記条件と合致するかどうか確認する。なお、前記タイムスタンプを付加するための条件はデジタル複写機１１０３の操作パネル上からデジタル複写機１１０３の管理者が任意の複数の条件を設定可能なものとする。
【００２９】
次にステップS４００３においてタイムスタンプを自動的に付加するための条件と合致しないと判断した場合は、ステップS４００４においてステップS４００２で受信した電子データを通常のプリントデータとして印字を行う。一方、ステップS４００３において条件が一致した場合は、ステップS４００５へ進み第三者機関のタイムスタンプ発行・認証センター１３００へタイムスタンプの発行を要求する。
【００３０】
ステップS４００６において第三者機関のタイムスタンプ発行・認証センター１３００では、デジタル複写機１１０３から送られてきた情報に、タイムスタンプ発行の権利を有するライセンス情報が含まれているか判断し、ライセンスＩＤが含まれている場合は、前記ライセンスIDの有効性をチェックしOKの場合はステップS４００７に進み受信した時刻のタイムスタンプを生成する。
【００３１】
ステップS４００８で通信回線網１４００を通してタイムスタンプを印刷物発行企業１２００へ送信する。
【００３２】
ステップS４００９において印刷物発行企業１２００はタイムスタンプ情報を受信する。
【００３３】
次にステップS４０１０に進みステップS４００９で受信したスタンプ情報からタイムスタンプコード化処理部3113によりスタンプ情報をコード化する。
【００３４】
次にステップS４００２で受信した印字プリントデータとステップＳ４０１０によりコード化したスタンプ情報をプリンタ部へ送る。
【００３５】
次にステップS４０１２において印刷物へ印字を行う。
【００３６】
次にプリントした印刷物の真正性を本発明の印刷システムによって検証する場合の処理手順を説明したフローチャートを図５に示す。
【００３７】
ステップS５００１において、印刷物発行企業１２００のデジタル複写機１２０１の読み取り機能を利用して、前記印刷物からタイムスタンプ読み取り手段がタイムスタンプコードを読み取る。次にステップS５００２において第三者機関のタイムスタンプ発行・認証センター１３００へライセンスIDとタイムスタンプ情報を送信して検証を要求する。
【００３８】
次にS５００３においてタイムスタンプ発行・認証センター１３００では、ステップS５００２において送られてきたライセンスIDの有効性をチェックし、ＯＫの場合はステップS５００４へ進む。
【００３９】
ステップS５００４において、送信されてきたタイムスタンプ情報の真正性の判定を行い、ステップＳ５００５において判定結果を印刷物発行企業１２００へ送信する。
【００４０】
ステップＳ５００６において判定結果を受信し、ステップＳ５００７においてその情報をデジタル複写機１２０１の操作パネルに表示する。
【００４１】
図６は、本発明によって印刷された印刷物１２０２の一例を示したものである。
【００４２】
印刷物１２０２には、印字プリントデータ６００１に加えて、印字プリント時刻であるタイムスタンプ６００２と、タイムスタンプコード６００３が印字される。印字物が複数ページの場合はそれぞれのページごとにタイムスタンプ６００２と、タイムスタンプコード６００３が印字されることとなる。
【図面の簡単な説明】
【００４３】
【図１】本実施の形態の構成を示すブロック図である。
【図２】本実施の形態のデジタル複写機概観図である。
【図３】本実施の形態のコントローラ部のシステムブロック図である。
【図４】本実施の形態のタイムスタンプ発行の処理フローを説明するためのフローチャートである。
【図５】本実施の形態のタイムスタンプの真正性を検証する場合の処理手順を説明するためのフローチャートである。
【図６】本発明によって印刷されたタイムスタンプ付き印刷物を説明するためのフローチャートである。
【図１】
2006166332.tif 000003
【図２】
2006166332.tif 000004
【図３】
2006166332.tif 000005
【図４】
2006166332.tif 000006
【図５】
2006166332.tif 000007
【図６】
2006166332.tif 000008